(57)【要約】【課題】電子機器を梱包・開梱を容易に行うことができると共に、異物を発生させることのない電子機器のキャリアケースを提供することである。【解決手段】電子機器１を収納すると共に上部が開放されたケース本体１２と、ケース本体１２の上部を閉塞する蓋ケース１３と、電子機器１を吊下げ支持すると共に、ケース本体１２の上縁部に掛け渡すように着座する横架支持部材１４と、横架支持部材１４に組み込まれ、電子機器１を横架支持部材１４に吊下げた状態に係止する係止具１５と、を備えたものである。【選択図】図５
2010247862.tif 000002
【特許請求の範囲】
【請求項１】
電子機器を収納すると共に上部が開放されたケース本体と、
前記ケース本体の上部を閉塞する蓋ケースと、
前記電子機器を吊下げ支持すると共に、前記ケース本体の上縁部に掛け渡すように着座する横架支持手段と、
前記横架支持手段に組み込まれ、前記電子機器を前記横架支持手段に吊下げた状態に係止する係止具と、を備えたことを特徴とする電子機器のキャリアケース。
【請求項２】
前記蓋ケースの裏面に設けられ、前記蓋ケースを前記ケース本体に装着した状態で、前記ケース本体の上縁部に着座した前記横架支持手段を前記ケース本体側に押圧する押圧手段を、更に備えたことを特徴とする請求項１に記載の電子機器のキャリアケース。
【請求項３】
前記蓋ケースの裏面に設けられ、前記蓋ケースを前記ケース本体に装着した状態で、前記係止具の係止状態をロックするロック手段を、更に備えたことを特徴とする請求項１または２に記載の電子機器のキャリアケース。
【請求項４】
前記ケース本体の上縁部に設けられ、前記横架支持手段を、その延在方向において位置規制する縦方向規制手段を、更に備えたことを特徴とする請求項１ないし３のいずれかに記載の電子機器のキャリアケース。
【請求項５】
前記ケース本体の上縁部に設けられ、前記横架支持手段を、その延在方向に直交する方向において位置規制する横方向規制手段を、更に備えたことを特徴とする請求項１ないし４のいずれかに記載の電子機器のキャリアケース。
【請求項６】
前記係止具は、レバー操作により係止および係止解除を行うトグルクランプで構成されていることを特徴とする請求項１ないし５のいずれかに記載の電子機器のキャリアケース。
【発明の詳細な説明】
【技術分野】
【０００１】
本発明は、保管・運搬の際に電子機器を収容する電子機器のキャリアケースに関するものである。
【背景技術】
【０００２】
従来、この種のコンテナ（キャリアケース）として、プラズマディスプレイユニット（電子機器）を固定するトレイ状の樹脂製プロテクタと、複数の樹脂製プロテクタと共に複数のプラズマディスプレイユニットを収容するコンテナ本体と、を有するものが知られている（特許文献１参照）。
この場合、プラズマディスプレイユニットは、樹脂製プロテクタにネジ止めされており、複数の樹脂製プロテクタは、複数のスペーサにより保持された状態でコンテナ本体に収容されている。
【先行技術文献】
【特許文献】
【０００３】
【特許文献１】ＷＯ２００４／０５０５１１号公報
【発明の概要】
【発明が解決しようとする課題】
【０００４】
しかしながら、このようなコンテナでは、樹脂製プロテクタにプラズマディスプレイユニットをネジで固定しているため、ネジの締結および締結解除時、あるいは運搬時の振動によるネジのがたつき等により、ネジから異物（金属片など）が発生し、これがプラズマディスプレイユニットに付着する問題があった。また、ネジの締結および締結解除に時間を要し、プラズマディスプレイユニットの梱包・開梱作業に手間がかかる問題があった。
【０００５】
本発明は、電子機器の梱包・開梱を容易に行うことができると共に、異物を発生させることのない電子機器のキャリアケースを提供することをその課題としている。
【課題を解決するための手段】
【０００６】
本発明の電子機器のキャリアケースは、電子機器を収納すると共に上部が開放されたケース本体と、ケース本体の上部を閉塞する蓋ケースと、電子機器を吊下げ支持すると共に、ケース本体の上縁部に掛け渡すように着座する横架支持手段と、横架支持手段に組み込まれ、電子機器を横架支持手段に吊下げた状態に係止する係止具と、を備えたことを特徴とする。
【０００７】
この構成によれば、電子機器は係止具によって横架支持手段に係止され、横架支持手段はケース本体の上縁部に掛け渡すように着座する。すなわち、電子機器は、横架支持手段および係止具によって、ケース本体内に吊下げた状態に収容されるため、電子機器をネジ止めする必要がなく、ネジによる異物の発生を防止することができる。また、係止具によって電子機器を横架支持手段に吊下げた状態に係止し、横架支持手段を把持してケース本体の上縁部にセットした後、蓋ケースをケース本体に装着することで、簡単に電子機器を梱包することができる。また、逆の手順で簡単に開梱作業を行うことができる。なお、横架支持手段は電子機器を安定に支持できればよく、その本数は任意である。
【０００８】
この場合、蓋ケースの裏面に設けられ、蓋ケースをケース本体に装着した状態で、ケース本体の上縁部に着座した横架支持手段をケース本体側に押圧する押圧手段を、更に備えたことが、好ましい。
【０００９】
この構成によれば、蓋ケースをケース本体に装着することで、横架支持手段をケース本体側に押圧することができ、運搬時における振動などによって、横架支持手段が浮き上がってしまう（がたつく）のを防止することができる。また、ネジ等により、横架支持手段をケース本体に固定しておく必要がなく、梱包・開梱作業を容易に行うことができると共に、異物を発生させることがない。なお、押圧手段は、ばねやゴム等の弾性体であることが好ましい。
【００１０】
この場合、蓋ケースの裏面に設けられ、蓋ケースをケース本体に装着した状態で、係止具の係止状態をロックするロック手段を、更に備えたことが、好ましい。
【００１１】
この構成によれば、蓋ケースをケース本体に装着することで、係止具の係止状態をロックすることができ、運搬時における振動などによって、係止具が係止解除されてしまうことを防止することができる。
【００１２】
この場合、ケース本体の上縁部に設けられ、横架支持手段を、その延在方向において位置規制する縦方向規制手段を、更に備えたことが、好ましい。
【００１３】
同様に、ケース本体の上縁部に設けられ、横架支持手段を、その延在方向に直交する方向において位置規制する横方向規制手段を、更に備えたことが、好ましい。
【００１４】
これらの構成によれば、運搬時における振動などによって、横架支持手段に吊下げられた電子機器ががたつくのを有効に防止することができる。また、ネジ等により、横架支持手段をケース本体に固定しておく必要がなく、梱包・開梱作業を容易に行うことができると共に、異物を発生させることがない。
【００１５】
この場合、係止具は、レバー操作により係止および係止解除を行うトグルクランプで構成されていることが、好ましい。
【００１６】
この構成によれば、いわゆるトグルジョイントの機構を利用してワンアクションで、横架支持手段に対して電子機器の固定および固定解除を行うことができる。
【図面の簡単な説明】
【００１７】
【図１】電子機器の外観斜視図である。
【図２】電子機器の正面図である。
【図３】電子機器の側面図である。
【図４】キャリアケースの外観斜視図である。
【図５】電子機器およびキャリアケースの外観斜視図である。
【図６】係止具を説明するための説明図である。
【発明を実施するための形態】
【００１８】
以下、添付した図面を参照して、本発明の一実施形態に係る電子機器のキャリアケースについて説明する。このキャリアケースは、内部に電子機器を収容して保管・運搬する際に用いられるものである。そこで、まず、保管・運搬対象物である電子機器の構造について簡単に説明する。
【００１９】
図１ないし図３に示すように、電子機器１は、電子機器本体２と、電子機器本体２の上面に設けられた一対の支持フレーム３と、から構成されている。一対の支持フレーム３は、電子機器本体２の長辺方向に延在するように設けられており、各支持フレーム３の両外端部近傍には、一対の隆起部４が形成されている。詳細は後述するが、電子機器１は、一対の支持フレーム３の２組の隆起部４間に掛け渡された一対の横架支持部材（横架支持手段）１４により、隆起部４の部分で吊下げられるようになっている。
【００２０】
次に、図４および図５を参照して、キャリアケース１１について説明する。キャリアケース１１は、上部が開放されたケース本体１２と、ケース本体１２の上部を閉塞する蓋ケース１３と、上記の電子機器１を吊下げ支持すると共に、ケース本体１２の上縁部に掛け渡すように着座する横架支持部材１４と、横架支持部材１４に組み込まれ、電子機器１を横架支持部材１４に対して吊下げた状態に係止する係止具１５と、から構成されている。
【００２１】
ケース本体１２および蓋ケース１３は、それぞれアルミニウムの素材で、且つヒンジレスに構成されており、４箇所に分散するように取り付けた４個のパッチン錠（スナップ錠）１６により、閉塞状態を固定されるようになっている。係止具１５によって横架支持部材１４に係止された電子機器１は、ケース本体１２の上縁部に横架支持部材１４を掛け渡すことで、ケース本体１２内に吊り下げられ、且つケース本体１２との間に適宜の間隙を存して収容される。この状態で、パッチン錠１６により蓋ケース１３をケース本体１２に固定することで、電子機器１がキャリアケース１１に梱包される。また、逆の手順で開梱される。
【００２２】
ケース本体１２は、横長の長方形に形成された本体底板２１と、本体底板２１の長辺方向の両縁部から立ち上がる一対の長辺側本体側板２２と、本体底板２１の短辺方向の両縁部から立ち上がる一対の短辺側本体側板２３と、で全体として深い上面開放の箱状に形成されている。各短辺側本体側板２３の外側上部には、Ｕ字形状の取手２４がそれぞれ取り付けられており、この一対の取手２４を手掛かりに作業者がキャリアケース１１を持ち運べるようになっている。また、各長辺側本体側板２２の外側上部には、パッチン錠１６のファスナー部２５が２個取り付けられている。さらに、本体底板２１の下面四隅に位置して、４個の脚突起が設けられている（図示省略）。
【００２３】
各長辺側本体側板２２には、その上端に横架支持部材１４を支持する断面Ｌ字状のＬ字フレーム２６が設けられると共に、内側にＬ字フレーム２６を下側から支持する断面Ｕ字状の一対の支柱フレーム２７が設けられている。各支柱フレーム２７は、横架支持部材１４に対応する位置に配設されており、本体底板２１の位置からＬ字フレーム２６の位置まで延在している。そして、Ｌ字フレーム２６、支柱フレーム２７および横架支持部材１４は、ステンレスの素材で構成されており、電子機器１の重量に耐えられるようになっている。
【００２４】
一対のＬ字フレーム２６は、起立片を外側に位置させて相互に内向きに配設されており、横臥片に着座する横架支持部材１４の両外端がこの両起立片に対峙し、横架支持部材１４の延在方向の位置が規制されるようになっている。すなわち、一対のＬ字フレーム（起立片）２６により、請求項に言う縦方向規制手段が構成されている。なお、起立片の両端部は大きく面取りされており、蓋ケース１３の閉塞をガイドできるようになっている。
【００２５】
また、各Ｌ字フレーム２６には、延在方向に離間して配設したリブ状の一対の板片２８が固着され、且つ各板片２８の内側には、硬質のゴム等で構成された一対の位置規制パッド（横方向規制手段）２９が添設されている。電子機器１を吊り下げた一対の横架支持部材１４は、この一対２組の位置規制パッド２９間において両Ｌ字フレーム２６に着座する。すなわち、一対の横架支持部材１４は、一対２組の位置規制パッド２９により、延在方向に直交する方向において位置規制されるようになっている。
【００２６】
蓋ケース１３は、ケース本体１２と平面視同形に形成され、横長の長方形に形成された蓋天板３１と、蓋天板３１の長辺方向の両縁部から垂下した一対の長辺側蓋側板３２と、蓋天板３１の短辺方向の両縁部から垂下した一対の短辺側蓋側板３３と、で全体として薄手の箱状に形成されている。蓋天板３１の上面四隅には、キャリアケース１１を段積みしたときに上記の４個の脚突起を受ける４個のゴムキャップ３４が取り付けられている。また、両長辺側蓋側板３２の外面には、ケース本体１２に設けられたファスナー部２５に対応する位置に、パッチン錠１６のフック部３６が２個ずつ取付けられている。
【００２７】
蓋天板３１の裏面には、蓋ケース１３をケース本体１２に装着した状態で、ケース本体１２の上縁部（Ｌ字フレーム２６）に着座した横架支持部材１４をケース本体１２側に押圧する押圧手段４１と、蓋ケース１３をケース本体１２に装着した状態で、上記の係止具１５の係止状態をロックするロック手段４２と、が設けられている。一対の横架支持部材１４を介して電子機器１を収容したケース本体１２に対し、蓋ケース１３を装着固定すると、押圧手段４１が横架支持部材１４を押えて、横架支持部材１４および電子機器１のがたつきを防止する。また、ロック手段４２が係止具１５を押えて、振動等による係止具１５の係止解除を防止する。
【００２８】
押圧手段４１は、各横架支持部材１４の両端の直上部に臨んで横架支持部材１４を直接押圧する４個の押圧パッド４３と、各押圧パッド４３を下向きに保持する略Ω字状の４個のパッドホルダ４４と、長辺方向の２個のパッドホルダ４４を組にして、それぞれ一体に支持し蓋ケース１３の裏面に取り付ける２枚の支持プレート４５と、を有している。各押圧パッド４３は、ゴム等により厚手のリング状に形成され、横架支持部材１４を押圧して上記のＬ字フレーム２６との間に挟持する。なお、押圧手段４１は、弾性体であればよく、コイルばねや板ばね等を用いることも可能である。
【００２９】
ロック手段４２は、係止具１５の直上部に臨んで係止具１５を直接押圧する４個の押圧ブロック４６と、各押圧ブロック４６を支持すると共に蓋ケース１３の裏面に取り付ける４個のホルダプレート４７と、から構成されている。そして、各押圧ブロック４６は、先端部に設けた板状の硬質ゴムとブロック状の軟質ゴムとを組み合わせた構造を有し、蓋ケース１３の閉塞時に、後述する係止具１５の操作レバー５３を押圧するようになっている。
【００３０】
各横架支持部材１４は、断面Ｕ字形状に、且つケース本体１２の略短辺に対応する長さに形成されている。各横架支持部材１４は上向きに配設され、その底面には、延在方向に離間して一対の係止具１５が搭載されている。一対の係止具１５の位置は、電子機器１における支持フレーム３の一対の隆起部４に対応しており、各係止具１５は、隆起部４を引き上げるようにして、電子機器１を横架支持部材１４に係止する。
【００３１】
また、各横架支持部材１４の外側面には、係止具１５と同位置に一対の突当てパッド４８が取り付けられている。各突当てパッド４８は、横架支持部材１４から下方に「Ｌ」字状に突出しており、この突出部分を上記の支持フレーム３の小口に突き当て且つ係合させることにより、係止具１５が支持フレーム３の隆起部４に位置決めされるようになっている。すなわち、横架支持部材１４を支持フレーム３の小口側からスライドさせるようにし、突当てパッド４８が小口に突き当てられ係合したところで係止具１５を操作すれば、電子機器１が横架支持部材１４に係止状態となる。なお、横架支持部材１４は電子機器１を安定に支持できればよく、その本数は任意である。
【００３２】
図６に示すように、各係止具１５は、レバー操作により横架支持部材１４に対する電子機器１の係止および係止解除を行ういわゆるトグルクランプで構成されている。係止具１５は、横架支持部材１４を貫通するように配設したＬ字状の係止フック５１と、横架支持部材１４に取り付けられ、係止フック５１を上下方向にスライド自在に支持するベースブロック５２と、ベースブロック５２の上端部に回動自在に支持された操作レバー５３と、係止フック５１の上端部と操作レバー５３の中間部とを連結する一対の連結リンク５４と、を有している。
【００３３】
操作レバー５３は、上半部のレバー部５５と、二股形状をした下半部のレバーリンク部５６とで一体に形成されている。また、操作レバー５３は、レバーリンク部５６の下部において同軸上に配設した一対の第１支軸５７により、ベースブロック５２に回動自在に支持され、レバーリンク部５６の上部において同軸上に配設した一対の第２支軸５８により一対の連結リンク５４の一方の端部に回動自在に連結されている。さらに、一対の連結リンク５４の他方の端部は、第３支軸５９により係止フック５１に連結されている。すなわち、操作レバー５３、一対の連結リンク５４、一対の第１支軸５７、一対の第２支軸５８および第３支軸５９により、第３支軸５９を固定とし、操作レバー５３の回動操作を入力とし、係止フック５１を上下方向にスライドさせるトグル機構が構成されている。
【００３４】
図６（ａ）は、操作レバー５３が起立位置にあり、且つ係止フック５１が下降端位置にあって、係止具１５は係止解除の状態にある。この状態から、操作レバー５３を第３支軸５９を中心に引き倒して（回動させて）ゆくと、連結リンク５４の倍力作用により、係止フック５１が下降端位置から上昇してゆく。操作レバー５３の回動が進み、第２支軸５８が第１支軸５７と第３支軸５９とを結ぶ仮想線６０を僅かに越えると（死点越え）、操作レバー５３が横臥位置となり、且つ係止フック５１が上昇端位置に達する（図６（ｃ）参照）。すなわち、操作レバー５３を起立位置から横臥位置に引き倒すことにより、係止フック５１が、電子機器１の支持フレーム３を引き上げて、支持フレーム３を横架支持部材１４との間に強く挟持する（係止状態）。また、逆の手順で、電子機器１が係止解除される。なお、係止具１５は、トグル機構の他、偏心カム機構を用いたものであってもよい。
【００３５】
次に、電子機器１のキャリアケース１１への梱包・開梱手順について説明する。まず、横架支持部材１４を、突当てパッド４８が電子機器１の長辺方向外側になるように把持し、突当てパッド４８が支持フレーム３の小口に当接するまでスライドさせる。続いて、係止具１５の操作レバー５３を起立位置から横臥位置に向って回動動作させて、係止フック５１によって支持フレーム３を引き上げる。この際、横架支持部材１４の下面と係止フック５１の上面との間に隆起部４が挟まれるように係止することで、電子機器１を吊下げ状態に支持する。
【００３６】
次に、一対の横架支持部材１４を把持して、電子機器１をキャリアケース１１に運び入れ、一対の横架支持部材１４をケース本体１２の一対のＬ字フレーム２６に掛け渡すようにセットする。この際、横架支持部材１４は、一対２組の位置規制パッド２９によって、延在方向に直交する方向が位置規制され、且つ一対のＬ字フレーム（起立片）２６によって、延在方向を位置規制される。このように位置決めするようにして、電子機器１をケース本体１２に収容したら、蓋ケース１３でケース本体１２を閉塞する。蓋ケース１３を取り付けると、押圧手段４１が横架支持部材１４を押圧し、ロック手段４２が係止具１５の操作レバー５３を押圧し、電子機器１はキャリアケース１１内に不動に収容される。最後に、パッチン錠１６により蓋ケース１３をケース本体１２に固定することで、キャリアケース１１への電子機器１の梱包作業を終了する。また、逆の手順で、開梱作業を行う。
【００３７】
以上の構成によれば、電子機器１は係止具１５によって横架支持部材１４に係止され、横架支持部材１４はＬ字フレーム２６に掛け渡すように着座する。この際、横架支持部材１４は、一対のＬ字フレーム２６および一対２組の位置規制パッド２９により平面方向が位置規制され、蓋ケース１３の閉塞時には押圧手段４１およびロック手段４２により高さ方向が位置規制される。したがって、電子機器１をネジ止めする必要がなく、ネジによる異物の発生を防止することができると共に、簡単に梱包・開梱作業を行うことができる。なお、キャリアケース１１や横架支持部材１４等の部品は、極力リベット接合とし、接合部分にネジを使用しないようにすることが好ましい。
【符号の説明】
【００３８】
１…電子機器  １１…キャリアケース  １２…ケース本体  １３…蓋ケース  １４…横架支持部材  １５…係止具  ２６…Ｌ字フレーム  ２９…位置規制パッド  ４１…押圧手段  ４２…ロック手段
【図１】
2010247862.tif 000003
【図２】
2010247862.tif 000004
【図３】
2010247862.tif 000005
【図４】
2010247862.tif 000006
【図５】
2010247862.tif 000007
【図６】
2010247862.tif 000008